(57)【要約】  本件発明の課題は、微細気泡の生成効率を向上させ、液体の微細気泡含有率を効率良く十分に高めることができる、簡単な形状・構造の微細気泡発生用ノズルを提供すること、この微細気泡発生用ノズルを用いて液体に微細気泡を含む気泡を混合させる方法を提供すること、この微細気泡発生用ノズルを備えた生物反応装置を提供すること、およびこの微細気泡発生用ノズルを複数本備えた微細気泡発生用ノズル装置を提供することにある。  上記課題を解決するため、本件発明の微細気泡発生用ノズルは、ノズル本体を流れる液体に、ノズル本体の中心軸に垂直な面に沿って、側面に連続して設けられたスリットを通して、気体を供給することにより、微細気泡の生成効率を向上させ、液体の微細気泡含有率を効率良く十分に高めることができる。
2019189812.tif 000002
【特許請求の範囲】
【請求項１】
液体に、ナノバブル乃至マイクロバブルの微細気泡を含む気泡を混合させて、前記微細気泡を含有する液体とするための微細気泡発生用ノズルであって、
上流側には、液体が流入する流入口が設けられ、下流側には、前記微細気泡を含む気泡を混合させた液体を放出する放出口が設けられた筒状体からなるノズル本体と、
前記ノズル本体の中心軸に垂直な面に沿って、側面に連続して設けられたスリットと、
前記スリットに接続され、前記スリットに気体を供給する気体供給部
を有することを特徴とする、微細気泡発生用ノズル。
【請求項２】
前記スリットが、前記ノズル本体の中心軸に垂直な面に対して上流側に傾斜する角度θを鋭角としたことを特徴とする、請求項１に記載の微細気泡発生用ノズル。
【請求項３】
前記スリットが、前記ノズル本体に複数段設けられていることを特徴とする、請求項１または２に記載の微細気泡発生用ノズル。
【請求項４】
前記ノズル本体が１つの筒状体で形成されており、前記スリットが、一部に接続部を残し、前記１つの筒状体の周面を切削して設けられていることを特徴とする、請求項１〜３のいずれかに記載の微細気泡発生用ノズル。
【請求項５】
前記ノズル本体が２本以上の筒状体で形成されており、前記スリットが、前記筒状体の接続部に形成されていることを特徴とする、請求項１〜３のいずれかに記載の微細気泡発生用ノズル。
【請求項６】
前記放出口付近における前記ノズル本体の内径が、下流側に向けて漸次拡張されていることを特徴とする、請求項１〜５のいずれかに記載の微細気泡発生用ノズル。
【請求項７】
前記微細気泡発生用ノズルが、化学反応に用いられるものであることを特徴とする、請求項１〜６のいずれかに記載の微細気泡発生用ノズル。
【請求項８】
前記微細気泡発生用ノズルが、生物反応に用いられるものであることを特徴とする、請求項１〜６のいずれかに記載の微細気泡発生用ノズル。
【請求項９】
前記請求項１〜８のいずれかに記載の微細気泡発生用ノズルを用いて、液体に、ナノバブル乃至マイクロバブルの微細気泡を含む気泡を混合させる方法。
【請求項１０】
培養液及び好気性または通性嫌気性微生物を含有する生物培養液を収容する培養槽と、
該培養槽から抜き出した生物培養液に、ナノバブル乃至マイクロバブルの微細気泡を含む気泡を含有させる請求項８に記載の微細気泡発生用ノズルと、
該微細気泡を含有させた生物培養液を前記培養槽に還流する管路と、
を備えることを特徴とする、生物反応装置。
【請求項１１】
前記培養槽から抜き出し、ナノバブル乃至マイクロバブルの微細気泡を含む気泡を含有させた後に前記培養槽に還流する生物培養液の量を、１分間当たり、前記培養槽に収容された生物培養液の量の１％以上４８％未満に設定することを特徴とする、請求項１０に記載の生物反応装置。
【請求項１２】
前記請求項１〜８のいずれかに記載の微細気泡発生用ノズルを複数本並列して設け、各微細気泡発生用ノズルにおいて、並行して、液体にナノバブル乃至マイクロバブルの微細気泡を含む気泡を混合させて、前記微細気泡を含有する液体とすることを特徴とする、微細気泡発生用ノズル装置。
【発明の詳細な説明】
【技術分野】
【０００１】
本件発明は、液体に、空気、酸素等の気体のナノバブル乃至マイクロバブルの微細気泡を含む気泡を混合させ、気体の微細気泡を含有する液体とするために用いられる微細気泡発生用ノズル、この微細気泡発生用ノズルを用いて液体に微細気泡を含む気泡を混合させる方法、この微細気泡発生用ノズルを備えた生物反応装置、およびこの微細気泡発生用ノズルを複数本備えた微細気泡発生用ノズル装置に関する。
【背景技術】
【０００２】
液体に含有される微細気泡による、液体の溶存酸素濃度（ＤＯ）を高める作用、滅菌・殺菌作用等に着目して、微細気泡を含有する液体は、シャワー水、浴槽水、洗濯水、洗浄水等として利用され、また、食品プラント、パルププラント、化学プラント等の各種産業から発生する廃水、家庭からの生活廃水等の廃水処理の分野、生物反応［微生物または細胞（以下、「微生物等」ともいう。）を培養して、微生物等に反応生成物を生成させたり、微生物等を増殖させる反応］や魚介類の養殖の分野において利用されている。【０００３】
本件発明においては、個数平均直径が１μｍ以上１００μｍ以下の気泡をマイクロバブルといい、個数平均直径が１μｍ未満の気泡をナノバブルという。微細気泡の気泡径を測定する方法としては、画像解析法、レーザー回折散乱法、電気的検知帯法、共振式質量測定法、光ファイバープローブ法等が一般に用いられ、ナノバブルの気泡径を測定する方法としては、動的光散乱法、ブラウン運動トラッキング法、電気的検知帯法、共振式質量測定法等が一般に用いられている。極微小気泡である「ナノバブル」は、「ウルトラファインバブル」とも呼ばれる。なお、現在、ＩＳＯ（国際標準化機構）において、ファインバブル技術に関する国際標準の作成が検討されており、国際標準が作成されれば、現在一般的に用いられている「ナノバブル」との呼称が、「ウルトラファインバブル」に統一される可能性もある。【０００４】
このような気体の微細気泡を含有する液体は、筒状体からなるノズル本体内を流れる液体に対して、ノズル本体の中心軸に垂直な面に沿って、側面に設けられた複数の噴出口から気体を吹き込むことにより、気体の微細気泡を含有する液体を得ている。（特許文献１および２）【０００５】
例えば、特許文献１には、図９にその外観を模式図で示すように、泥土の曝気装置１０が開示されており、この曝気装置１０では、筒状体からなるノズル本体１１の流入口１２から泥土を流入させ、放出口１３から放出すると共に、ノズル本体１１の中心軸に垂直な面に沿って、側面に設けられた複数の空気噴出口１４から圧縮空気を吹き込み、泥土に微細気泡を混合させている。この曝気装置１０においては、図１０および図１１の模式図に示すように、ノズル本体１１内を流れる泥土に吹き込まれた圧縮空気は、気体の複数の帯Ａ’を形成してノズル本体１１の内面に沿って流れ、放出口１３付近で微細気泡Ｂ’となる。【０００６】
しかしながら、上記特許文献１および２に開示されるような、ノズル本体の中心軸に垂直な面に沿って、側面に設けられた複数の噴出口から気体を吹き込む微細気泡発生用ノズルでは、ノズル本体内を流れる液体に対して吹き込まれた気体が複数の帯状を形成してノズル本体の内面に沿って流れるため、微細気泡の生成効率が悪く、液体の微細気泡含有率を効率良く十分に高めることは難しい。【０００７】
特許文献３には、開口部の高速水噴流に向けて、噴出環状口からオゾンを吹き出し、循環渦流の作用により水噴流に流入させるようにしたノズルが開示されている。また、特許文献４には、加圧された液体と、環状の隙間から供給された気体とを、撹拌混合室でループの流れによって撹拌混合するループ式バブル発生ノズルが開示されている。【０００８】
しかしながら、上記特許文献３および４に開示されるようなノズルは、開口部、撹拌混合室等の特定の箇所において、乱流を生じさせることにより液体と気体を混合するものであり、本件発明のノズル、上記特許文献１および２に開示されるノズルのような、ノズル本体内を流れる液体に対して気体を吹き込み、ノズル本体の内面に沿って流すタイプの、簡単な形状・構造の微細気泡発生用ノズルではない。
【先行技術文献】
【特許文献】
【０００９】
【特許文献１】特開２００４−１２１９８８号公報
【特許文献２】特開２００６−０３４２３５号公報
【特許文献３】特許第３６８６７６３号公報
【特許文献４】特許第５００２４８０号公報
【発明の概要】
【発明が解決しようとする課題】
【００１０】
本件発明者等は、筒状体からなる簡単な形状・構造のノズル本体を有する微細気泡発生用ノズルを用い、微細気泡の生成効率を向上させ、液体の微細気泡含有率を効率良く十分に高めることについて鋭意実験・検討を重ね、本件発明を成したものである。【００１１】
すなわち、本件発明の課題は、微細気泡の生成効率を向上させ、液体の微細気泡含有率を効率良く十分に高めることができる、簡単な形状・構造の微細気泡発生用ノズルを提供すること、この微細気泡発生用ノズルを用いた液体に微細気泡を含む気泡を混合させる方法を提供すること、この微細気泡発生用ノズルを備えた生物反応装置を提供すること、およびこの微細気泡発生用ノズルを複数本備えた微細気泡発生用ノズル装置を提供することにある。
【課題を解決するための手段】
【００１２】
本件発明者等は、従来の簡単な形状・構造の微細気泡発生用ノズル（すなわち、ノズル本体内を流れる液体に対して吹き込まれた気体をノズル本体の内面に沿って流して微細気泡を生成する従来のノズル）において、驚くべきことに、ノズル本体を流れる液体に対して、ノズル本体の中心軸に垂直な面に沿って、側面に連続して設けられたスリットを通して、気体を供給することにより、微細気泡の生成効率を向上させ、液体の微細気泡含有率を効率良く十分に高めることができることを見出し、本件発明を成したものである。【００１３】
本件発明の要旨を以下に示す。
（１）液体に、ナノバブル乃至マイクロバブルの微細気泡を含む気泡を混合させて、前記微細気泡を含有する液体とするための微細気泡発生用ノズルであって、
上流側には、液体が流入する流入口が設けられ、下流側には、前記微細気泡を含む気泡を混合させた液体を放出する放出口が設けられた筒状体からなるノズル本体と、
前記ノズル本体の中心軸に垂直な面に沿って、側面に連続して設けられたスリットと、
前記スリットに接続され、前記スリットに気体を供給する気体供給部
を有することを特徴とする、微細気泡発生用ノズル。
（２）前記スリットが、前記ノズル本体の中心軸に垂直な面に対して上流側に傾斜する角度θを鋭角としたことを特徴とする、（１）に記載の微細気泡発生用ノズル。
（３）前記スリットが、前記ノズル本体に複数段設けられていることを特徴とする、（１）または（２）に記載の微細気泡発生用ノズル。
（４）前記ノズル本体が１つの筒状体で形成されており、前記スリットが、一部に接続部を残し、前記１つの筒状体の周面を切削して設けられていることを特徴とする、（１）〜（３）のいずれかに記載の微細気泡発生用ノズル。
（５）前記ノズル本体が２本以上の筒状体で形成されており、前記スリットが、前記筒状体の接続部に形成されていることを特徴とする、（１）〜（３）のいずれかに記載の微細気泡発生用ノズル。
（６）前記放出口付近における前記ノズル本体の内径が、下流側に向けて漸次拡張されていることを特徴とする、（１）〜（５）のいずれかに記載の微細気泡発生用ノズル。
（７）前記微細気泡発生用ノズルが、化学反応に用いられるものであることを特徴とする、（１）〜（６）のいずれかに記載の微細気泡発生用ノズル。
（８）前記微細気泡発生用ノズルが、生物反応に用いられるものであることを特徴とする、（１）〜（６）のいずれかに記載の微細気泡発生用ノズル。
（９）前記（１）〜（８）のいずれかに記載の微細気泡発生用ノズルを用いて、液体に、ナノバブル乃至マイクロバブルの微細気泡を含む気泡を混合させる方法。
（１０）培養液及び好気性または通性嫌気性微生物を含有する生物培養液を収容する培養槽と、該培養槽から抜き出した生物培養液に、ナノバブル乃至マイクロバブルの微細気泡を含む気泡を含有させる（８）に記載の微細気泡発生用ノズルと、該微細気泡を含有させた生物培養液を前記培養槽に還流する管路と、を備えることを特徴とする、生物反応装置。
（１１）前記培養槽から抜き出し、ナノバブル乃至マイクロバブルの微細気泡を含む気泡を含有させた後に前記培養槽に還流する生物培養液の量を、１分間当たり、前記培養槽に収容された生物培養液の量の１％以上４８％未満に設定することを特徴とする、（１０）に記載の生物反応装置。
（１２）前記（１）〜（８）のいずれかに記載の微細気泡発生用ノズルを複数本並列して設け、各微細気泡発生用ノズルにおいて、並行して、液体にナノバブル乃至マイクロバブルの微細気泡を含む気泡を混合させて、前記微細気泡を含有する液体とすることを特徴とする、微細気泡発生用ノズル装置。
【発明の効果】
【００１４】
本件発明の微細気泡発生用ノズルは、簡単な形状・構造を有し、微細気泡の生成効率を向上させ、液体の微細気泡含有率を効率良く十分に高めることができる。【００１５】
また、本件発明の該微細気泡発生用ノズルを用いて液体に微細気泡を含む気泡を混合させる方法は、簡単かつ経済的に、微細気泡含有率を効率良く十分に高めて、液体に微細気泡を含む気泡を混合させることができる。【００１６】
また、本件発明の該微細気泡発生用ノズルを備えた生物反応装置は、簡単かつ経済的に、微細気泡含有率を効率良く十分に高めて、液体に微細気泡を含む気泡を混合させることのできる微細気泡発生用ノズルを備えることにより、微生物等が受けるストレス・ダメージを低減し、生物反応を効率的、経済的に行うことができる。【００１７】
また、本件発明の該微細気泡発生用ノズルを複数本備えた微細気泡発生用ノズル装置は、微細気泡発生用ノズルを複数本並列して設けて微細気泡発生用ノズル装置を構成することにより、微細気泡を含有する液体をより効率良く生成することができる。
【図面の簡単な説明】
【００１８】
【図１】本件発明の微細気泡発生用ノズルの第１実施形態の外観を示す模式図である。
【図２】本件発明の微細気泡発生用ノズルの第１実施形態の断面を示す模式図である。
【図３】図２における、Ｉ−Ｉ断面を示す模式図である。
【図４】気体供給部を設けた、図１の微細気泡発生用ノズルの外観を示す模式図である。
【図５】本件発明の微細気泡発生用ノズルの第２実施形態の断面を示す模式図である。
【図６】本件発明の微細気泡発生用ノズルの第３実施形態の断面を示す模式図である。
【図７】本件発明の微細気泡発生用ノズルの第４実施形態の断面を示す模式図である。
【図８】本件発明の微細気泡発生用ノズルの応用例を示す、微生物等の培養装置の模式図である。
【図９】特許文献１の微細気泡発生用ノズルの外観を示す模式図である。
【図１０】特許文献１の微細気泡発生用ノズルの断面を示す模式図である。
【図１１】図１０における、ＩＩ−ＩＩ断面を示す模式図である。
【発明を実施するための形態】
【００１９】
以下、本件発明の実施形態を、添付の図面も参照しながら詳細に説明するが、本件発明はこれらに限定されるものではない。
【００２０】
＜一般的な微細気泡発生用ノズル＞
まず、本件発明のノズル、上記特許文献１および２に開示されるノズルのような、ノズル本体内を流れる液体に対して気体を吹き込み、ノズル本体の内面に沿って流すタイプの、簡単な形状・構造の微細気泡発生用ノズルについて説明する。
【００２１】
前記簡単な形状・構造の微細気泡発生用ノズルは、図１〜３（本件発明）、図９〜１１（従来例）に示すように、流入口２，１２から供給され、ノズル本体１，１１内を流れる液体に対して、ノズル本体１，１１の中心軸に垂直な面に沿って、側面に連続して設けられたスリット４、中心軸に垂直な面に沿って、側面に設けられた空気噴出口１４等の供給口から気体を吹き込み、吹き込まれた気体はノズル本体１，１１の内面に沿って流れ、微細気泡Ｂ，Ｂ’が徐々に形成されると共に、放出口３，１３付近で多量の微細気泡Ｂ，Ｂ’となるものである。
【００２２】
＜本件発明の微細気泡発生用ノズルの特徴＞
図９〜１１に示すような従来の微細気泡発生用ノズルでは、筒状体からなるノズル本体１１内を流れる液体に対して、ノズル本体１１の中心軸に垂直な面に沿って、側面に設けられた複数の空気噴出口１４から吹き込まれた気体は、気体の複数の帯Ａ’を形成してノズル本体１１の内面に沿って流れ放出口１３付近で微細気泡Ｂ’となるため、微細気泡の生成効率が悪く、液体の微細気泡含有率を効率良く十分に高めることは難しい。
【００２３】
一方、図１〜３（本件発明）に示すような本件発明の微細気泡発生用ノズルでは、筒状体からなるノズル本体１内を流れる液体に対して、ノズル本体１の中心軸に垂直な面に沿って、側面に連続して設けられたスリット４から吹き込まれた気体は、ノズル本体１の内面に沿って気体の連続する幅広の薄層Ａ（以下、「薄層Ａ」ともいう。）を形成してノズル本体１の内面に沿って流れ、微細気泡Ｂが徐々に形成されると共に、放出口３付近で多量の微細気泡Ｂが形成されるため、微細気泡の生成効率を向上させ、液体の微細気泡含有率を効率良く十分に高めることができる。
【００２４】
本件発明において用いられるノズル本体１の筒状体の断面形状は、円形または矩形とすることができるが、円形とするのが好ましい。断面形状を円形とすることにより、薄層Ａの厚さを均等なものとでき、液体の微細気泡含有率を効率良く高められる傾向にある。ノズル本体１の筒状体の断面形状は、図３に示すように真円形であってもよいし、略真円形または楕円形であってもよい。
【００２５】
なお、本件発明において、スリット４は、「ノズル本体１の中心軸に垂直な面（以下、「垂直面」ともいう。）に沿って設けられる」が、これは、垂直面に大凡沿って設けられることを意味する。また、本件発明において、スリット４は、「ノズル本体１の側面に連続して設けられる」が、後で述べるように、ノズル本体１を１本の筒状体で形成するような場合、スリット４を設けることによりノズル本体１が分離しないように、一部に接続部を残すこともできる。
【００２６】
また、筒状体からなるノズル本体１には、その中心軸に沿って棒状体、好ましくは断面形状が円形の棒状体を配することが好ましい。これにより、ノズル本体１への液体の供給量が同じであっても、ノズル本体１内を流れる液体の流速（以下、「液体の流速」ともいう。）を高くできるので、薄層Ａを安定的に形成することができ、また、ナノバブル乃至マイクロバブルの微細気泡を含有する液体を効率良く生成することができる。
【００２７】
本件発明の微細気泡発生用ノズルを用いて、薄層Ａを円滑に形成するためには、
１）液体の流速、および
２）ノズル本体１内の液体の流れに直交する方向への、スリット４から吹き込まれる気体の流速（以下、「気体の流速」ともいう。）
のバランスを適切なものとすることが必要である。液体の流速に比べ気体の流速が大きすぎる場合には、ノズル本体１の中心軸近くまで気体が吹き込まれ、薄層Ａを形成するのが困難となる。一方、液体の流速に比べ気体の流速が小さすぎる場合には、液体がスリット４からノズル本体１の外部に漏れ出すこととなる。
【００２８】
＜気体供給部＞
図４に示すように、本件発明の微細気泡発生用ノズルにおいては、スリット４に加圧された気体（例えば、加圧された空気および／または酸素）を供給する気体供給部５が接続される。好適には、気体供給部５は、スリット４を囲むように、ノズル本体１の外部に気密に設けられる。
【００２９】
気体供給部５に供給される気体の圧力（以下、「気体の圧力」ともいう。）は、基本的には、液体がスリット４からノズル本体１の外部に漏れ出さないようにするために、ノズル本体１内を流れる液体の圧力よりも高くすることが好ましい。
【００３０】
一方、気体の圧力を高くするとこれに伴い気体の流速が大きくなるため、気体の圧力を高くしすぎると、液体の流速に比べ気体の流速が大きくなりすぎ、薄層Ａを形成するのが困難となる傾向にある。
【００３１】
気体の圧力は、これらの要素を考慮して適切な値を設定することができるが、通常は、液体がスリット４からノズル本体１の外部に漏れ出さない圧力（例えば、１．５ａｔｍ）を下限値とし、３．０ａｔｍを上限値とするのが好ましい。
【００３２】
＜スリット＞
本件発明のスリット４は、図１〜２および５〜７に示すように、ノズル本体１の中心軸に垂直な面に沿って、側面に連続して設けられた細孔である。
【００３３】
スリット４の間隙は、液体の流速、気体の流速、気体の圧力も考慮して、薄層Ａを形成できる適切な値を設定することができる。
【００３４】
また、スリット４の間隙は、狭すぎると微細気泡Ｂの生成効率が低下し、広すぎると放出口３付近で薄層Ａから微細気泡Ｂが形成されにくくなるので、これらの要素も考慮して適切な値を設定することができる。
【００３５】
スリット４の間隙は、これらの要素を考慮して適切な値を設定することができるが、通常は０．５ｍｍ〜２．０ｍｍ、好ましくは０．５ｍｍ〜１．５ｍｍ、より好ましくは０．５ｍｍ〜０．８ｍｍの範囲に設定することができる。
【００３６】
液体の微細気泡含有率を効率良く高めるためには、気体の流速を大きくして気体の吹き込み量を増加することが好ましいが、一方で、上記＜本件発明の微細気泡発生用ノズルの特徴＞で説明したように、気体の流速を液体の流速に比べて大きくするに伴い、薄層Ａを形成するのが困難となる。
【００３７】
上記の「液体の微細気泡含有率の向上」と「薄層Ａの安定的な形成」とを両立させるためには、スリット４をノズル本体１の中心軸に垂直な面に対して上流側に傾斜させることが好ましい。これにより、気体の流速自体を大きくしても、薄層Ａの形成を妨げる、ノズル本体１内の液体の流れに直交する方向への気体の流速を低減できる作用が生じる。ノズル本体１の中心軸に垂直な面に対して上流側に傾斜する角度θ（以下、「傾斜角度θ」ともいう。）は、液体の流速、気体の流速等に応じて薄層Ａを安定的に形成できるように鋭角とすることができる。傾斜角度θは、上記作用を考慮して、０°以上８０°以下とするのが好ましく、６０°以上８０°以下とするのがより好ましく、７０°以上８０°以下とするのがさらに好ましい。
【００３８】
また、上記の「液体の微細気泡含有率の向上」と「薄層Ａの安定的な形成」とを両立させるためには、スリット４をノズル本体１に複数段設けることも好ましい。これにより、気体の流速自体を大きくしなくても、気体の吹き込み量を増加することができる。スリット４の段数は、気体の吹き込み量を増加する観点からは多い方が好ましいが、多すぎるとノズルの構造が複雑になり製造コスト・メンテナンスコストが高くなることから、これらの要素を考慮して適宜設定することができる。スリット４の段数は、通常、１〜３段とするのが好ましい。
【００３９】
＜スリットの形成＞
スリット４は、図１および図２（本件発明の微細気泡発生用ノズルの第１実施形態）に示すように、ノズル本体１を１本の筒状体１ａで形成し、一部に接続部を残して筒状体の周面を切削して形成することもできるし、また、図５（本件発明の微細気泡発生用ノズルの第２実施形態）、図６（本件発明の微細気泡発生用ノズルの第３実施形態）および図７（本件発明の微細気泡発生用ノズルの第４実施形態）に示すように、ノズル本体１を２本以上の筒状体１ｂ、１ｃ等で形成し、これらの筒状体１ｂ、１ｃ等の接続部に形成することもできる。
【００４０】
図５に示す本件発明の微細気泡発生用ノズルの第２実施形態では、ノズル本体１を２本の断面形状が円形の筒状体１ｂ、１ｃで形成し、これらの筒状体１ｂ、１ｃ等の接続部に傾斜角度θのスリット４を形成しているが、この第２実施形態では、断面積の小さいスリット４が長くなることに伴い、スリット４の洗浄がやりにくくなる、ノズル本体１内に供給される気体の圧力が圧力損失により低下する等の懸念がある。
【００４１】
図６に示す本件発明の微細気泡発生用ノズルの第３実施形態は、上記懸念を解消するものであり、断面形状が円形の筒状体１ｃにおいて、断面形状が円形の筒状体１ｂとの接続部の先端部を切除することにより、スリット４の長さを短くしたものである。これにより、スリット４の洗浄を容易にし、ノズル本体１内に供給される気体の圧力損失を低減することができる。
【００４２】
＜放出口＞
図２に示すように、放出口３付近で、薄層Ａがノズル本体１の内面から離れて微細気泡Ｂが形成されるが、薄層Ａがノズル本体１の内面から離れやすくするために、放出口３付近におけるノズル本体１の内径を、下流側に向けて漸次拡張することができる。
【００４３】
また、図７に示す本件発明の微細気泡発生用ノズルの第４実施形態のように、放出口３付近におけるノズル本体１の内面に凹凸を形成し、液体の流れに乱流を生じさせることにより、微細気泡Ｂの形成を促進することができる。ノズル本体１の内面に凹凸を形成する手段としては、ノズル本体１の内面を切削して凹部を形成する手段、ノズル本体１の内面にコイル状の部材を接合して凸部を形成する手段等が挙げられる。
【００４４】
＜ノズルの用途＞
本件発明の微細気泡発生用ノズルは、簡単かつ経済的に、微細気泡含有率を効率良く十分に高めて、液体に微細気泡を含む気泡を混合させることができるので、微細気泡による液体の溶存酸素濃度（ＤＯ）を高める作用、滅菌・殺菌作用等を利用した、
〇シャワー水、浴槽水、洗濯水、洗浄水等の製造・供給、
〇食品プラント、パルププラント、化学プラント等の各種産業から発生する廃水、家庭からの生活廃水等の廃水処理、
〇魚介類の養殖
〇化学反応、生物反応
等の幅広い分野で使用することができる。
【００４５】
とりわけ、本件発明の微細気泡発生用ノズルは、液体として固体触媒を分散させた反応液を用いる化学反応、液体として微生物等を含む培養液を用いる生物反応において好適に使用することができる。
【００４６】
すなわち、化学反応で用いられる固体触媒は壊れやすく、また、生物反応で用いられる微生物等はストレス・ダメージにより活性が低下するが、本件発明の微細気泡発生用ノズルでは、薄層Ａが、固体触媒、微生物等がノズル本体１の内面に衝突するのを防止するクッションの役割を果たすため、固体触媒が壊れたり、微生物等がストレス・ダメージを受けたりするのを低減することができる。また、本件発明の微細気泡発生用ノズルでは、液体の流速を小さくしても微細気泡含有率を効率良く十分に高められるため、固体触媒が壊れたり、微生物等がストレス・ダメージを受けるのを低減することができる。
【００４７】
＜生物反応装置＞
なかでも、本件発明の微細気泡発生用ノズルは、好気性または通性嫌気性微生物（以下、「微生物等」ともいう。）を培養して、微生物等に反応生成物を生成させたり、微生物等を増殖させる生物反応装置において、特に好適に使用することができる。
【００４８】
図８に示す生物反応装置では、
１）培養液および微生物等を含有する生物培養液６を培養槽７から抜き出す工程、
２）抜き出した生物培養液６をマイクロナノバブル発生槽８に供給して、マイクロナノバブル発生装置９により、微細気泡を含有させる工程、および
３）微細気泡を含有させた生物培養液６を還流管路を通じて培養槽７に戻す工程
により生物反応が行われるが、この「マイクロナノバブル発生装置９」として、本件発明の微細気泡発生用ノズルを用いることにより、図３に示すように、薄層Ａが微生物等のノズル本体１の内面への衝突を防止するクッションの役割を果たし、微生物等が受けるストレス・ダメージを低減することができる。
【００４９】
さらに、「マイクロナノバブル発生装置９」として、本件発明の微細気泡含有率の高い液体を効率良く生成できる微細気泡発生用ノズルを用いることにより、培養槽７から抜き出し、微細気泡を含有させた後に培養槽７に還流する生物培養液６の量を、１分間当たり、培養槽７に収容された生物培養液６の量の１％以上４８％未満と低く設定することができるため、液循環により微生物等が受けるストレス・ダメージを軽減することができる。
【００５０】
＜液体に微細気泡を含む気泡を混合させる方法＞
本件発明の液体に微細気泡を含む気泡を混合させる方法は、上記の微細気泡発生用ノズルを用いて行うことができ、簡単かつ経済的に、微細気泡含有率を効率良く十分に高めて、液体に微細気泡を含む気泡を混合させることができる。
【００５１】
＜微細気泡発生用ノズル装置＞
本件発明の微細気泡発生用ノズルは、微細気泡含有率の高い液体を効率良く生成できるものであるが、この微細気泡発生用ノズルを複数本並列して設けて微細気泡発生用ノズル装置を構成することにより、微細気泡を含有する液体をより効率良く生成することができる。
【００５２】
この微細気泡発生用ノズル装置には、各微細気泡発生用ノズルの流入口に液体を分配して供給する液体供給部、および各微細気泡発生用ノズルの放出口から微細気泡を含有する液体を集めて回収する微細気泡含有液体回収部が設けられる。
【００５３】
つぎに、本件発明の微細気泡発生用ノズルについて実施例・比較例を用いて説明するが、本件発明はこれら実験例・比較実験例により限定されるものではない。
【００５４】
＜実施例１〜２・比較例１〜２＞
以下の実施例１〜２・比較例１〜２では、表１に整理して示すように、次のような形状・構造の微細気泡発生用ノズルを用いた。
〇ノズル本体：内径６．０ｍｍの断面形状が円形の筒状体
〇ノズル本体に設けられたスリットまたは孔：
［実施例１］ノズル本体の中心軸に垂直な面に沿って、側面に連続して設けられた、ノズル本体の中心軸に垂直な面に対して上流側に傾斜する角度θが０°、間隙が０．８ｍｍであるスリット
［実施例２］ノズル本体の中心軸に垂直な面に沿って、側面に連続して設けられた、ノズル本体の中心軸に垂直な面に対して上流側に傾斜する角度θが７５°、間隙が０．８ｍｍであるスリット
［比較例１］ノズル本体の中心軸に垂直な面に沿って、側面に連続して等間隔に設けられた、ノズル本体の中心軸に垂直な面に対して上流側に傾斜する角度θが０°、３個の直径１．０ｍｍの孔
［比較例２］ノズル本体の中心軸に垂直な面に沿って、側面に連続して等間隔に設けられた、ノズル本体の中心軸に垂直な面に対して上流側に傾斜する角度θが０°、３個の直径２．０ｍｍの孔
〇スリットまたは孔の段数：１段
【００５５】
【表１】
2019189812.tif 000003
【００５６】
実施例１〜２、比較例１〜２の微細気泡発生用ノズルに、ノズル本体の一端の流入口から、１０質量％の濃度のブドウ糖の水溶液（以下、「ブドウ糖水溶液」という。）を流速：１６ｍ／秒で供給すると共に、ノズル本体に設けたスリットまたは孔から、空気を通気量：３０Ｌ／分で供給して、空気の微細気泡を混合させたブドウ糖水溶液とした。
【００５７】
得られた空気の微細気泡を混合させたブドウ糖水溶液のＫＬＡ［物質移動容量係数（／ｈ）］を測定した。その結果を表２に示す。
【００５８】
【表２】
2019189812.tif 000004
【００５９】
ＫＬＡ［物質移動容量係数（／ｈ）］は、液体の溶存酸素濃度（ＤＯ）を表す指標として一般に用いられているものであり、この値が大きいほど液体の溶存酸素濃度が高いことを表している。すなわち、空気中の酸素が液体に溶けて溶存酸素になるには、気相の酸素分子Ｏ２が液体中に移動しなければならないが、この酸素移動速度ＯＴＲは、下記の一般式（１）で表されるので、ＫＬＡの値が大きいほど液体の溶存酸素濃度が高いことを表す。
ＯＴＲ＝ＫＬＡ×（ＣＳ−Ｃ）  ・・・（１）
この式（１）において、
ＯＴＲ：酸素移動速度（ｍｇ／Ｌ・ｈ）
ＫＬＡ：物質移動容量係数（／ｈ）
ＣＳ    ：酸素の水中への飽和溶解度（ｍｇ／Ｌ）
Ｃ    ：酸素の水中への溶解度（ｍｇ／Ｌ）である。
【００６０】
実施例１〜２（空気供給口の形状が「スリット」）と比較例１〜２（空気供給口の形状が「孔」）との比較から、ノズル本体に設ける空気供給口の形状を「スリット」とすることにより、「孔」とする場合（比較例１〜２）に比べ、液体への溶存酸素濃度を格段に高くできることがわかる。
【００６１】
さらに、実施例１（角度θが０°）と実施例２（角度θが７５°）との比較から、スリットをノズル本体の中心軸に垂直な面に対して上流側に傾斜させることにより、液体への溶存酸素濃度を高められることがわかる。
【００６２】
また、実施例２（空気供給口の形状が「スリット」）および比較例１（空気供給口の形状が「孔」）で得られた空気の微細気泡を混合させたブドウ糖水溶液における、空気の微細気泡の気泡径分布を画像解析法粒子径測定装置（マイクロトラックベル製）を用いて測定した。実施例２の上記気泡径分布を表３に示し、比較例１の上記気泡径分布を表４に示す。
【００６３】
表３および表４に示す気泡分布は上記測定装置を用いて１分間測定したものであり、横軸は気泡の粒子径（μｍ）を示し、縦軸は測定された気泡の全数に対する各気泡径の気泡の割合（％）を示す。
【００６４】
【表３】
2019189812.tif 000005
【００６５】
【表４】
2019189812.tif 000006
【００６６】
実施例２（空気供給口の形状が「スリット」）における空気の微細気泡の気泡径分布（表３）と、比較例１（空気供給口の形状が「孔」）における空気の微細気泡の気泡径分布（表４）との比較から、ノズル本体に設ける空気供給口の形状を「スリット」とすることにより、「孔」とする場合に比べ、空気の微細気泡の気泡径を小さくかつ気泡径の分布をシャープにできることがわかる。
【符号の説明】
【００６７】
１      ノズル本体
１ａ    筒状体
１ｂ    筒状体
１ｃ    筒状体
２      流入口
３      放出口
４      スリット
５      気体供給部
６      生物培養液
７      培養槽
８      マイクロナノバブル発生槽
９      マイクロナノバブル発生装置
１０      曝気装置
１１      ノズル本体
１２      流入口
１３      放出口
１４      空気噴出口
Ａ        （ノズル本体の内面に沿って形成される）気体の連続する幅広の薄層
Ａ’      （ノズル本体の内面に沿って形成される）気体の複数の帯
Ｂ        微細気泡
Ｂ’      微細気泡
【図１】
2019189812.tif 000007
【図２】
2019189812.tif 000008
【図３】
2019189812.tif 000009
【図４】
2019189812.tif 000010
【図５】
2019189812.tif 000011
【図６】
2019189812.tif 000012
【図７】
2019189812.tif 000013
【図８】
2019189812.tif 000014
【図９】
2019189812.tif 000015
【図１０】
2019189812.tif 000016
【図１１】
2019189812.tif 000017
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
液体に、ナノバブル乃至マイクロバブルの微細気泡を含む気泡を混合させて、前記微細気泡を含有する液体とするための微細気泡発生用ノズルであって、
上流側には、液体が流入する流入口が設けられ、下流側には、前記微細気泡を含む気泡を混合させた液体を放出する放出口が設けられた筒状体からなるノズル本体と、
前記ノズル本体の中心軸に垂直な面に沿って、側面に連続して設けられたスリットと、
前記スリットに接続され、前記スリットに気体を供給する気体供給部
を有し、
前記ノズル本体は、断面形状が円形であり、内面に段差を有さないことを特徴とする、微細気泡発生用ノズル。
【請求項２】
前記スリットが、前記ノズル本体の中心軸に垂直な面に対して上流側に傾斜する角度θを鋭角としたことを特徴とする、請求項１に記載の微細気泡発生用ノズル。
【請求項３】
前記スリットが、前記ノズル本体に複数段設けられていることを特徴とする、請求項１または２に記載の微細気泡発生用ノズル。
【請求項４】
前記ノズル本体が１つの筒状体で形成されており、前記スリットが、一部に接続部を残し、前記１つの筒状体の周面を切削して設けられていることを特徴とする、請求項１〜３のいずれかに記載の微細気泡発生用ノズル。
【請求項５】
前記ノズル本体が２本以上の筒状体で形成されており、前記スリットが、前記筒状体の接続部に形成されていることを特徴とする、請求項１〜３のいずれかに記載の微細気泡発生用ノズル。
【請求項６】
前記放出口付近における前記ノズル本体の内径が、下流側に向けて漸次拡張されていることを特徴とする、請求項１〜５のいずれかに記載の微細気泡発生用ノズル。
【請求項７】
前記微細気泡発生用ノズルが、化学反応に用いられるものであることを特徴とする、請求項１〜６のいずれかに記載の微細気泡発生用ノズル。
【請求項８】
前記微細気泡発生用ノズルが、生物反応に用いられるものであることを特徴とする、請求項１〜６のいずれかに記載の微細気泡発生用ノズル。
【請求項９】
前記請求項１〜８のいずれかに記載の微細気泡発生用ノズルを用いて、液体に、ナノバブル乃至マイクロバブルの微細気泡を含む気泡を混合させる方法。
【請求項１０】
培養液及び好気性または通性嫌気性微生物を含有する生物培養液を収容する培養槽と、
該培養槽から抜き出した生物培養液に、ナノバブル乃至マイクロバブルの微細気泡を含む気泡を含有させる請求項８に記載の微細気泡発生用ノズルと、
該微細気泡を含有させた生物培養液を前記培養槽に還流する管路と、
を備えることを特徴とする、生物反応装置。
【請求項１１】
前記培養槽から抜き出し、ナノバブル乃至マイクロバブルの微細気泡を含む気泡を含有させた後に前記培養槽に還流する生物培養液の量を、１分間当たり、前記培養槽に収容された生物培養液の量の１％以上４８％未満に設定することを特徴とする、請求項１０に記載の生物反応装置。
【請求項１２】
前記請求項１〜８のいずれかに記載の微細気泡発生用ノズルを複数本並列して設け、各微細気泡発生用ノズルにおいて、並行して、液体にナノバブル乃至マイクロバブルの微細気泡を含む気泡を混合させて、前記微細気泡を含有する液体とすることを特徴とする、微細気泡発生用ノズル装置。
【手続補正２】
【補正対象書類名】明細書
【補正対象項目名】００１３
【補正方法】変更
【補正の内容】
【００１３】
本件発明の要旨を以下に示す。
（１）液体に、ナノバブル乃至マイクロバブルの微細気泡を含む気泡を混合させて、前記微細気泡を含有する液体とするための微細気泡発生用ノズルであって、
上流側には、液体が流入する流入口が設けられ、下流側には、前記微細気泡を含む気泡を混合させた液体を放出する放出口が設けられた筒状体からなるノズル本体と、
前記ノズル本体の中心軸に垂直な面に沿って、側面に連続して設けられたスリットと、
前記スリットに接続され、前記スリットに気体を供給する気体供給部
を有し、
前記ノズル本体は、断面形状が円形であり、内面に段差を有さないことを特徴とする、
微細気泡発生用ノズル。
（２）前記スリットが、前記ノズル本体の中心軸に垂直な面に対して上流側に傾斜する角度θを鋭角としたことを特徴とする、（１）に記載の微細気泡発生用ノズル。
（３）前記スリットが、前記ノズル本体に複数段設けられていることを特徴とする、（１）または（２）に記載の微細気泡発生用ノズル。
（４）前記ノズル本体が１つの筒状体で形成されており、前記スリットが、一部に接続部を残し、前記１つの筒状体の周面を切削して設けられていることを特徴とする、（１）〜（３）のいずれかに記載の微細気泡発生用ノズル。
（５）前記ノズル本体が２本以上の筒状体で形成されており、前記スリットが、前記筒状体の接続部に形成されていることを特徴とする、（１）〜（３）のいずれかに記載の微細気泡発生用ノズル。
（６）前記放出口付近における前記ノズル本体の内径が、下流側に向けて漸次拡張されていることを特徴とする、（１）〜（５）のいずれかに記載の微細気泡発生用ノズル。
（７）前記微細気泡発生用ノズルが、化学反応に用いられるものであることを特徴とする、（１）〜（６）のいずれかに記載の微細気泡発生用ノズル。
（８）前記微細気泡発生用ノズルが、生物反応に用いられるものであることを特徴とする、（１）〜（６）のいずれかに記載の微細気泡発生用ノズル。
（９）前記（１）〜（８）のいずれかに記載の微細気泡発生用ノズルを用いて、液体に、ナノバブル乃至マイクロバブルの微細気泡を含む気泡を混合させる方法。
（１０）培養液及び好気性または通性嫌気性微生物を含有する生物培養液を収容する培養槽と、該培養槽から抜き出した生物培養液に、ナノバブル乃至マイクロバブルの微細気泡を含む気泡を含有させる（８）に記載の微細気泡発生用ノズルと、該微細気泡を含有させた生物培養液を前記培養槽に還流する管路と、を備えることを特徴とする、生物反応装置。
（１１）前記培養槽から抜き出し、ナノバブル乃至マイクロバブルの微細気泡を含む気泡を含有させた後に前記培養槽に還流する生物培養液の量を、１分間当たり、前記培養槽に収容された生物培養液の量の１％以上４８％未満に設定することを特徴とする、（１０）に記載の生物反応装置。
（１２）前記（１）〜（８）のいずれかに記載の微細気泡発生用ノズルを複数本並列して設け、各微細気泡発生用ノズルにおいて、並行して、液体にナノバブル乃至マイクロバブルの微細気泡を含む気泡を混合させて、前記微細気泡を含有する液体とすることを特徴とする、微細気泡発生用ノズル装置。
【国際調査報告】
2019189812.tif 000018
2019189812.tif 000019
2019189812.tif 000020
2019189812.tif 000021